(57)【要約】      （修正有）【課題】化成品特有のギラギラした艶を解消して、スエード調のしっとりとした表面と上品な色調が得られる高級感のある皮革様長尺シート、及びその製品を提供する。【解決手段】合成皮革の皮革様シート基材の一面に所要のアニマル模様の凸凹面のエンボス加工を施してその全面に植毛加工を行って所要のパイル３を植設した基材シートを形成する。そして、上記基材シートの表面にバフィング加工を施して基材シートの表面のエンボス加工の凸部６のパイル３を除去してエンボス加工の凹部のパイル３を残し、皮革様長尺シート素材を得る。上記皮革様長尺シート素材を染色槽に浸漬して基材シートの凹部のパイル３部に所要の染色を施して染色付きの皮革様長尺シート９を得る。この皮革様長尺シート９からバッグ、靴、ベルト、衣服、手袋等として、スエード調のしっとりとした表面と上品な色調、高級感のある製品が製造できる。【選択図】図４
2005105422.tif 000002
【特許請求の範囲】
【請求項１】
合成皮革の皮革様シート基材の一面に所要のアニマル模様の凸凹面のエンボス加工を
施してその全面に植毛加工を行って所要のパイルを植設した基材シートを形成し、
上記基材シートの表面にバフィング加工を施して基材シートの表面のエンボス加工の
凸部のパイルを除去してエンボス加工の凹部のパイルを残したことを特徴とする皮革様長
尺シート素材。
【請求項２】
請求項１の皮革様長尺シート素材を所要の染色槽に浸漬して基材シートの凹部のパイ
ル部に所要の染色を施したことを特徴とする染色付きの皮革様長尺シート。
【請求項３】
請求項１の皮革様長尺シート素材を所要のバッグ、靴、ベルト、衣服、手袋等の製品
、半製品のパーツ形状に裁断して、この製品、半製品のパーツ形状の皮革様裁断パーツを
所要の染色槽に浸漬してこの皮革様裁断パーツの凹部のパイル部に所要の染色を施したこ
とを特徴とする染色付きの皮革様パーツ。
【請求項４】
請求項２の染色付きの皮革様長尺シートまたは請求項３の染色付きの皮革様パーツか
ら所要の皮革様のバッグ、靴、ベルト、衣服、手袋等の製品を形成したことを特徴とする
染色付きの皮革様製品。
【発明の詳細な説明】
【技術分野】
【０００１】
本発明は、合成皮革または人工皮革分野における皮革様長尺シート素材、皮革様長尺
シート、パーツおよびその製品に関するものである。
【背景技術】
【０００２】
従来から本皮に代わって皮革様に形成した合成皮革または人工皮革が作られ、バッグ
、靴、ベルト、衣服、手袋等の製品が製造されている。
【０００３】
これらの合成皮革の皮革様製品は、表面の色調が単調であったり、風合いが良くなか
ったり、化成品特有のギラギラした艶があって、需要者に不評が多かった。
【０００４】
そこで、出願人は、皮革様シートや製品について特許調査を行った結果、皮革様シー
ト物の製造方法の特公昭５７−８２３２号公報、淡色に染色された皮革様シート製品の製
造法の特開平５−３０２２８０号公報等が検索された。これらには、皮革様シートの表面
に微妙な濃淡の色調変化を生起でき、表面色調の単調を解消できて風合いの良好な染色さ
れた皮革様シート製品に改善できる旨が開示されている。しかし、なお、化成品特有のギ
ラギラした艶があって、需要者に不評が多いものであった。
【特許文献１】特公昭５７−８２３２号公報
【特許文献２】特開平５−３０２２８０号公報
【発明の開示】
【発明が解決しようとする課題】
【０００５】
本発明の解決しようとする課題は、化成品特有のギラギラした艶があって、需要者に
不評が多いのを解消してスエード調のしっとりとした表面と上品な色調が得られる高級感
のある皮革様商品を得ることにある。
【課題を解決するための手段】
【０００６】
本発明は、合成皮革の皮革様シート基材の一面に所要のアニマル模様の凸凹面のエン
ボス加工を施してその全面に植毛加工を行って所要のパイルを植設した基材シートを形成
し、上記基材シートの表面にバフィング加工を施して基材シートの表面のエンボス加工の
凸部のパイルを除去してエンボス加工の凹部のパイルを残したことを特徴とする皮革様長
尺シート素材を提供するものである。
【０００７】
また、上記皮革様長尺シートを所要の染色槽に浸漬して基材シートの凹部のパイル部
に所要の染色を施したことを特徴とする染色付きの皮革様長尺シートを提供するものであ
る。
【０００８】
さらに、上記皮革様長尺シート素材を所要のバッグ、靴、ベルト、衣服、手袋等の製
品、半製品のパーツ形状に裁断して、この製品、半製品のパーツ形状の皮革様裁断パーツ
を所要の染色槽に浸漬して皮革様裁断パーツの凹部のパイル部に所要の染色を施したこと
を特徴とする染色付きの皮革様パーツを提供するものである。
【０００９】
またさらに、上記染色付きの皮革様長尺シートまたは染色付きの皮革様パーツから所
要の皮革様のバッグ、靴、ベルト、衣服、手袋等の製品を形成したことを特徴とする染色
付きの皮革様製品を提供するものである。
【発明の効果】
【００１０】
本発明は、合成皮革の皮革様シート基材の一面に所要のアニマル模様の凸凹面のエン
ボス加工を施してその全面に植毛加工を行って所要のパイルを植設した基材シートを形成
し、上記基材シートの表面にバフィング加工を施して基材シートの表面のエンボス加工の
凸部のパイルを除去してエンボス加工の凹部のパイルを残したので、山羊、蛇、クロコダ
イル、豹柄等の所要のしぼ付きのアニマル模様の長尺シート素材が作れる。
【００１１】
そして、上記皮革様長尺シート素材を所要の染色槽に浸漬して基材シートの凹部のパ
イル部に所要の染色を施すことによって、スエード調のしっとりとした表面と上品な色調
が得られる高級感のある皮革様シートを得ることができる。
【００１２】
さらに、上記皮革様長尺シート素材を所要のバッグ、靴、ベルト、衣服、手袋等の製
品、半製品のパーツ形状に裁断して、この製品、半製品のパーツ形状の皮革様裁断パーツ
を所要の染色槽に浸漬して皮革様裁断パーツの凹部のパイル部に所要の染色を施すことに
よって、スエード調のしっとりとした表面と上品な色調が得られる高級感のある皮革様の
バッグ、靴、ベルト、衣服、手袋等の製品を得ることができる。
【００１３】
またさらに、染色付きの皮革様長尺シートまたは染色付きの皮革様パーツから所要の
皮革様のバッグ、靴、ベルト、衣服、手袋等の製品を形成することによって、スエード調
のしっとりとした表面と上品な色調が得られる高級感のある皮革様のバッグ、靴、ベルト
、衣服、手袋等の製品を需要者の要望の色に対応して得ることができる。
【発明を実施するための最良の形態】
【００１４】
本発明の皮革様長尺シート素材、皮革様長尺シート、パーツおよびその製品は、合成
皮革の皮革様シート基材の一面に所要のアニマル模様の凸凹面のエンボス加工を施してそ
の全面に植毛加工を行って所要のパイルを植設した基材シートを形成し、上記基材シート
の表面にバフィング加工を施して基材シートの表面のエンボス加工の凸部のパイルを除去
してエンボス加工の凹部のパイルを残して形成することを特徴としている。
【００１５】
合成皮革の皮革様シート基材１は、従来知られているようなポリウレタン湿式合成皮
革や塩化ポリビニルレザーなどの皮革様シート材や、ナイロンやレーヨンの極細繊維の編
織布や不織布などの繊維シートにポリウレタンエラストマーやポリウレタンエラストマー
を主体とした重合体を含有させた皮革様のシート材を使用できるものである。
【００１６】
この皮革様シート基材１の一面側に、図１のように山羊、蛇、クロコダイル、豹柄等
の所要のアニマル模様の凸凹面のエンボス加工を施して所要のしぼ２を付け、この全面に
わたって極細繊維の短尺の易染色性のナイロン糸やレーヨン糸を静電加工によってイオン
結合させ、所要のパイル３を植設した基材シート４を形成するようにしている。
【００１７】
そして、図２のように上記したパイル３を植毛した基材シート４の表面をバフィング
加工を施して、基材シート４の表面をエンボス加工したしぼ２の凹部５のパイル３を残し
て凸部６のパイル３を除去して、皮革様長尺シート素材７とすることができる。
【００１８】
上記した素材の皮革様長尺シート素材７には、未だ所要の着色を施していないので、
予め大量生産して保管できる。そして、図３のように皮革様長尺シート素材７を反応性染
料等のよる所要の染色槽８に順次浸漬する染色加工によって、需要者の好みの所要の染色
を施し、図４のように化成品特有のギラギラした艶があって需要者に不評が多いのを解消
して、スエード調のしっとりとした表面と上品な色調が得られる高級感のある皮革様長尺
シート９を得ることができる。
【００１９】
そして、この皮革様長尺シート９を所要のバッグ、靴、ベルト、衣服、手袋等の製品
、半製品のパーツ形状に裁断して、従来のようにして染色付きの皮革様パーツから所要の
皮革様のバッグ、靴、ベルト、衣服、手袋等の製品を形成することができる。
【００２０】
上記では、図３のように長尺の皮革様長尺シート素材７を染色槽８に浸漬して染色し
て所要の形状に裁断して、半製品、製品を製造するようにしたが、長尺の皮革様長尺シー
ト素材７から予め所要のバッグ、靴、ベルト、衣服、手袋等の製品、半製品のパーツ形状
に裁断し、これらを染色かごに搭載して所要の染料とした染色槽にそれぞれ浸漬して、染
色付きの皮革様パーツから所要の皮革様のバッグ、靴、ベルト、衣服、手袋等の製品を形
成することもできる。
【実施例】
【００２１】
図１〜図４は、本発明の一実施例を示すものである。図１のようにポリウレタン湿式
合成皮革様シート基材１に豹柄模様の凸凹面のエンボス加工を施して所要のしぼ２を付け
た。
【００２２】
そして、図１のようにこの全面にわたって極細繊維の易染色性の短尺の０．８デニー
ルのレーヨン糸を静電加工によってイオン結合させ、レーヨンフロックの所要のパイル３
を植設して基材シート４を形成し、図２のように上記したパイル３を植毛した基材シート
４の表面をバフィング加工を施し、基材シート４の表面をエンボス加工したしぼ２の凹部
５のパイル３を残して凸部６のパイル３を除去して皮革様長尺シート素材７とした。
【００２３】
そして図３のように、たとえば淡い茶色の反応性、分散染料組成とした染色槽８に所
定時間浸漬していって、水洗し、乾燥処理した。その結果、図４のように化成品特有のギ
ラギラした艶があって需要者に不評が多いのを解消して、スェード調のしっとりとした表
面と上品な色調が得られる高級感のある皮革様長尺シート９を得ることができた。
【００２４】
そしてまた、上記皮革様長尺シート９を所要の靴製品のパーツ形状に裁断して、所要
の染色を施した製品を縫製してスエード調のしっとりとした表面と上品な色調が得られる
高級感のある製造することができた。
【００２５】
なお、上記皮革様長尺シートを所要のバッグ、靴、ベルト、衣服、手袋等の製品、半
製品のパーツ形状に裁断して、この製品、半製品のパーツ形状の皮革様裁断パーツを所要
の染色槽に浸漬して基材シートの凹部のパイル部に所要の染色を施すことによって、スェ
ード調のしっとりとした表面と上品な色調が得られる高級感のある皮革様のバッグ、靴、
ベルト、衣服、手袋等の商品を得ることができる。
【００２６】
図５は、本発明の他の実施例を示すもので、上記の皮革様シート基材１に山羊柄模様
の凸凹面のエンボス加工を施し、上記のようにパイル３を植設したもので、所要のアニマ
ル柄とすることができる。このようにして、所要のアニマル柄として所要の色を染色した
製品とすることができる。
【図面の簡単な説明】
【００２７】
【図１】本発明の実施例の一部省略したエンボス加工状態からパイル植設説明用斜視図、
【図２】同上のバフィング説明用斜視図、
【図３】同上の染色説明用図、
【図４】同上の加工処理によって形成した皮革様シートの一部省略した斜視図、
【図５】同上の他の実施例の一部省略したエンボス加工状態からパイル植設斜視。
【符号の説明】
【００２８】
１…皮革様シート基材      ２…しぼ      ３…パイル      ４…基材シート
５…凹部    ６…凸部    ７…皮革様長尺シート基材    ９…皮革様長尺シート
【図１】
2005105422.tif 000003
【図２】
2005105422.tif 000004
【図３】
2005105422.tif 000005
【図４】
2005105422.tif 000006
【図５】
2005105422.tif 000007